(57)【要約】　　　（修正有）【課題】可動ベッド駆動時においても位置ずれの発生を効果的に防止し、より安全で正しい体位変換を行うことのできる可動ベッド用マットを提供する。【解決手段】可動ベッド用マット１の裏面において、可動ベッドの床部１１ｂと対向する位置に、プレート１０１上に硬質ゴム製凸部１０２を複数個にわたり配設してなる固定具１００を配設する。そして、床部１１ｂ表面に張られたワイヤーメッシュの間隙に、前記凸部１０２のそれぞれを嵌合させ、マット１と床部１１ｂとを固定する。このとき、凸部１０２はワイヤーメッシュに対して脱着自在に嵌合される。【選択図】　図１０
2004073673.tif 000002
【特許請求の範囲】
【請求項１】
ベッド面が変形可能な可動ベッドの床部に敷設される可動ベッド用マットであって、
前記床部に対向するマット表面に、床部と係合する固定具が備えられていることを特徴とする可動ベッド用マット。
【請求項２】
前記可動ベッドは、床部表面にメッシュが形成されており、前記固定具は当該メッシュの間隙に嵌合してマットを固定する構成であることを特徴とする請求項１に記載の可動ベッド用マット。
【請求項３】
前記固定具は、可動ベッドの床部に対して脱着可能であることを特徴とする請求項１または２に記載の可動ベッド用マット。
【請求項４】
前記固定具は、前記マット表面において、当該マットに横臥する使用者の腰部に対応する位置に配設されていることを特徴とする請求項１〜３のいずれかに記載の可動ベッド用マット。
【請求項５】
前記可動ベッドは、床面が屈曲自在な床部と、
床部を屈曲させて、上体起こし、膝上げの少なくともいずれかを含む屈曲体勢を形成する屈曲機構と、
床部の床面を側方に傾斜する傾斜機構と、を備え、
前記屈曲機構及び傾斜機構の一方の機構は、他方の機構の作動状態で動作可能に構成されていることを特徴とする請求項１〜４のいずれかに記載の可動ベッド用マット。
【請求項６】
請求項１〜５のいずれかに記載の可動ベッド用マットを備えることを特徴とする、ベッド面が変形可能な可動ベッド。
【発明の詳細な説明】
【０００１】
【発明の属する技術分野】
本発明は、介護用の可動ベッドに敷設されるマットに関する。
【０００２】
【従来の技術】
一般に、寝返り支援ベッドなどに用いられる可動ベッドでは、その使用者である被介護者の褥瘡、いわゆる床ずれの発生を防止するため、被介護者を載せたベッドのマット面の一部または全面を傾斜させ、傾斜方向へ被介護者を寝返らせて体位変換を支援する（特開平６−１４８２４号公報を参照）。このような寝返り支援ベッドの多くは、体位変換支援時に、そのマット面を平坦な状態からマット幅方向に向かって傾斜させる機構を取っている。
【０００３】
【発明が解決しようとする課題】
しかし、上記可動ベッドが可動することにより、可動ベッドに敷設したマットが位置ずれを起こし、被介護者の位置が正しい位置からずれることがあった。このような問題は可動ベッドの正常な駆動の妨げになるほか、被介護者の安全面からも改良すべき余地があった。
【０００４】
本発明はこのような問題に対してなされたものであって、その目的は、可動ベッド駆動時においても位置ずれの発生を効果的に防止し、より安全で正しい体位変換を行うことのできる可動ベッド用マットを提供することにある。
【０００５】
【課題を解決するための手段】
上記課題を解決するために、本発明はベッド面が変形可能な可動ベッドの床部に敷設される可動ベッド用マットであって、前記床部に対向するマット表面に、床部と係合する固定具が備えられているものとした。
このような構成によれば、可動ベッドの駆動時において、マットがベッド面に対して位置ずれを発生するのが防止されるので、ベッドに横臥する被介護者は安全かつ正しい体勢で体位変換に望むことができ、また良好な安眠が約束される。
【０００６】
具体的には前記可動ベッドは、床部にメッシュが形成されており、前記固定具は当該メッシュの間隙に嵌合してマットを固定する構成とすることもできる。
この場合、前記固定具は、可動ベッドの床部に対して脱着可能とすると、マットの取り替えや可動ベッドのメンテナンスが容易になるので望ましい。
なお前記固定具は、前記マット表面において、当該マットに横臥する使用者の腰部に対応する位置に配設されていると、ベッド稼働時にマットの伸縮が容易になるので望ましい。
【０００７】
なお本発明に適用される可動ベッド例としては、前記可動ベッドは、床面が屈曲自在な床部と、床部を屈曲させて、上体起こし、膝上げの少なくともいずれかを含む屈曲体勢を形成する屈曲機構と、床部の床面を側方に傾斜する傾斜機構とを備え、前記屈曲機構及び傾斜機構の一方の機構は、他方の機構の作動状態で動作可能に構成されているものが挙げられる。
【０００８】
【発明の実施の形態】
１．実施の形態１
ここでは先に本発明の可動ベッド用マットが適用可能な、寝返り支援ベッドの構成例について説明し、これに続いて可動ベッド用マットについて詳細を説明する。
【０００９】
１−１．寝返り支援ベッドの構成
図１は、本発明の実施の形態１にかかる可動ベッドであるの全体構成を示す斜視図である。なお、ここに示す寝返り支援ベッド２の構成は一例であって、本発明の可動ベッド用マットはこれ以外の寝返り支援ベッドに適用してもよい。
当図に示す寝返り支援ベッド２は、固定ステージ３０上に可動ステージ２０を載置し、さらにこの上にベッドフレーム１０を配置した構成になっている。
【００１０】
ベッドフレーム１０は、そのベッドの表面となる面部分を、被介護者が上に寝たときの身体の位置に合わせて、背中、腰、腿、膝下の計４つの関節部分を有するように分け、これを可動自在に連結してなる連結床部１１ａ〜１１ｄを備えている。連結床部１１ａ〜１１ｄのうち、腰板１１ｂは、可動ステージ２０と溶接などにより直付け固定されているので、ベッドフレーム１０が可動ステージ２０からはずれてしまうことはない。そして、各連結床部１１ａ〜１１ｄの左右両側には、被介護者の身体側面をサポートするための側部材１２Ｒａ〜１２Ｒｄ、１２Ｌａ〜１２Ｌｄがそれぞれ連結されている。このベッドフレーム１０の上体板１１ａおよび腿板１１ｃは、可動ステージ２０のセンターフレーム２１Ａに配された直動アクチュエータＭ１、Ｍ２（図３のベッド上面図を参照）の軸とＬ字型連結部材２１１、２１２を介して連結されているので、このアクチュエータＭ１、Ｍ２の作動により、被介護者が屈曲姿勢になるように変形する（図６のベッド状態図、図８（ｂ）のベッド側面図を参照）。
【００１１】
なお、このうちベッドフレーム１０において、連結床部１１ａ〜１１ｄ、側部材１２Ｒａ〜１２Ｒｄ、１２Ｌａ〜１２Ｌｄの表面にはワイヤーメッシュが張られている（図９を参照）が、以下の各図ではベッドの構成・動作を明瞭に示すために、このワイヤーメッシュからなる表面を省略して連結床部１１ａ〜１１ｄ、側部材１２Ｒａ〜１２Ｒｄ、１２Ｌａ〜１２Ｌｄのフレームのみを図示している。さらに動作図として示す図６〜８では、ベッドの動作を明瞭にするために、側部材支持フレーム２４Ｒ、２４Ｌなど構成の一部の図示を省略している。
【００１２】
側部材１２Ｒａ〜１２Ｒｄ、１２Ｌａ〜１２Ｌｄのうち、被介護者の腿付近に対応する１２Ｒｃおよび１２Ｌｃの表面には、当該１２Ｒｃおよび１２Ｌｃとほぼ同サイズの封筒型ポケットが配設されている（図８（ｄ）のベッド側面図を参照）。また被介護者の膝下に当たる１２Ｒｄおよび１２Ｌｄには端部に扇形板１３Ｒ、１３Ｌ（１３Ｒは不図示）が連結されており、通常これらは前記１２Ｒｃおよび１２Ｌｃのポケットに収納されている。そして、ベッドフレーム１０の屈曲姿勢への変形時には扇形板１３Ｒ、１３Ｌがポケットから露出し、被介護者の膝部分をサポートする。
【００１３】
可動ステージ２０は、センターフレーム２１Ａ、サイドフレーム２１Ｒ、２１Ｌ、およびこれらの３本のフレームの各両端部を平行に接続する２本フレームによって、直方形フレーム構造を有する。サイドフレーム２１Ｒ、２１Ｌには、当図に示すように固定ステージ３０のローラスライドフレーム３００上を、図中ｙ方向に沿ってスライド移動できるローラ２００、２０１、２０２、２０３（２０３はベッドフレーム１０の下に隠れている）が配置されている。
【００１４】
可動ステージ２０のサイドフレーム２１Ｒ、２１Ｌには、これらのフレーム２１Ｒ、２１Ｌのそれぞれに沿った各２本のバー２２Ｒ、２３Ｒ、２２Ｌ、２３Ｌおよび接続部２３１Ｒ、２３２Ｒ、２３１Ｌ、２３２Ｌ、からなる梯子状の側部材支持フレーム２４Ｒ、２４Ｌが配されている。側部材１２Ｒｂ、１２Ｌｂと側部材支持フレーム２４Ｒ、２４Ｌが互いに当たるバー２２Ｒ、２３Ｒ、２２Ｌ、２３Ｌの領域は部分的に凹部に形成され、この凹部に側部材１２Ｒｂがはまり込むようになっており（図３のベッド上面図を参照）、ベッドフレーム１０の屈曲姿勢への変形時に、側部材１２Ｒａ、１２Ｌａおよび１２Ｒｃ、１２Ｌｃと、１２Ｒｂ、１２Ｌｂとが互いに板厚み方向で干渉しないように工夫されている。またバー２２Ｒ、２２Ｌとフレーム２１Ｒ、２１Ｌは連結部材２３６Ｒａ、２３６Ｌａ、２３６Ｒｂ、２３６Ｌｂにより連結されており、この連結によってバー２２Ｒ、２２Ｌはフレーム２１Ｒ、２１Ｌに固定されたまま、軸方向に回転自在な回転バーとして動く。そして、側部材支持フレーム２４Ｒ、２４Ｌが回転バー２２Ｒ、２２Ｌを軸中心にして、ベッド平面を垂直方向（ｚ方向）まで回転すれば、ベッドフレーム１０の側部材１２Ｒａ〜１２Ｒｄ、１２Ｌａ〜１２Ｌｄが押し上げられるので、これを起こすことができる。
【００１５】
ここで図２（ａ）〜（ｃ）は、可動ステージ２０およびベッドフレーム１０の腰板１１ｃ付近における模式的なベッド断面のアクチュエータ動作図である。当図に示すように、可動ベッド２０には前記したベッドフレーム１０の変形のためのアクチュエータＭ１、Ｍ２の他、センターフレーム２１Ａの左右方向、すなわちｙ方向両側から連結部材２３６Ｒａ、２３６Ｌａへ対称的に直動アクチュエータＭ３Ｒ、Ｍ３Ｌが配置されており、これらのアクチュエータＭ３Ｒ、Ｍ３Ｌの各軸先端が、回転バー２２Ｒ、２２Ｌより垂下して固定されたＬ字部材２３５Ｒ、２３５Ｌと連結されている。この構成によって、アクチュエータＭ３Ｒ、Ｍ３Ｌが軸を伸ばすことにより、Ｌ字部材２３５Ｒ、２３５Ｌおよびバー２３Ｒ、２３Ｌが回転バー２２Ｒ、２２Ｌを軸中心にして回転し、側部材支持フレーム２４Ｒ、２４Ｌがベッド水平面から起き上がり、ベッド水平面に対して垂直方向へと起きる（動作図２（ａ）→（ｂ）→（ｃ））。
【００１６】
なお、サイドフレーム２１Ｒ、２１Ｌの下面には、ステージバー２７Ｒ、２７Ｌが備わっており、固定ステージ３０側のＵ字型断面を持つステージバー受け３６Ｒ、３６Ｌと嵌合する。このステージバー受け３６Ｒ、３６Ｌには幅方向に沿って内部に逆Ｌ字型のツメがあり、ステージバー２７Ｒ、２７Ｌ周囲に前記ツメが引っかかることで、垂直方向に可動ステージ２０を固定しているが、可動ステージ２０の傾斜時に、傾斜したステージ側部側のステージバー２７Ｒ、２７Ｌのいずれかが、ステージバー受け３６Ｒ、３６Ｌから離間される。
【００１７】
ここで、図４は、固定ステージ３０の構成を示す斜視図である。固定ステージ３０は、直方形状のフレーム３１を備えている。そして、当該フレーム３１の一対の短辺がローラスライドフレーム３００になっており、前記可動ステージ２０のローラ２００、……が当該フレーム３００上を往復移動できるようになっている。当該固定ステージ３０の両サイドフレーム３２Ｒ、３２Ｌは、コの字型断面を有するスライド溝部材であり、このスライド溝を互いに向かい合わせにして配置されている。サイドフレーム３２Ｒ、３２Ｌには、それぞれステージバー受け３６Ｒ、３６Ｌと連結された支持腕３５４Ｒ、３５６Ｒ、３５４Ｌ、３５６Ｌの端部が往復自在にはめ込まれている。支持腕３５４Ｒ、３５６Ｒ、３５４Ｌ、３５６Ｌには、サイドフレーム３２Ｒ、３２Ｌに一端を連結された逆Ｌ字型回転腕３５１Ｒ、３５２Ｒ、３５１Ｌ、３５２Ｌがリンクされ、当該回転腕３５１Ｒ、３５２Ｒ、３５１Ｌ、３５２Ｌには水平リンク３５３Ｒ、３５３Ｌが連結されている。また、ステージバー受け３６Ｒ、３６Ｌと水平リンク３５３Ｒ、３５３Ｌとの間には、斜交いにアクチュエータＭ４Ｒ、Ｍ４Ｌがそれぞれ配置されている。これにより、固定ステージ３０の左右両サイドには、水平スライド機構を応用した平行四辺形機構３５Ｒ、３５Ｌが形成される。この平行四辺形機構３５Ｒ、３５Ｌでは、回転腕３５１Ｒ、３５２Ｒ、３５１Ｌ、３５２Ｌ、がサイドフレーム３２Ｒ、３２Ｌ側の連結部分を中心に円運動しつつ、当該回転腕３５１Ｒ、３５２Ｒ、３５１Ｌ、３５２Ｌに規制されながら支持腕３５４Ｒ、３５６Ｒ、３５４Ｌ、３５６Ｌの各片端部がサイドフレーム３２Ｒ、３２Ｌ内をそれぞれ往復運動し、当該支持腕３５４Ｒ、３５６Ｒ、３５４Ｌ、３５６Ｌが垂直方向へ揺動すると、ステージバー受け３６Ｒ、３６Ｌにより支えられた可動ステージ２０およびベッドフレーム１０は、固定ステージ３０の左右両サイドから垂直方向に昇降できる。したがって、本寝返り支援ベッド２では、省スペースで狭い空間でも昇降が可能であり、また前記ローラ２００、……と平行四辺形機構３５Ｒ、３５Ｌとの採用により体位変換時でも省スペースが実現できるようになっている。サイドフレーム３２Ｒ、３２Ｌそれぞれに対応する上記平行四辺形機構３５Ｒ、３５Ｌのうち、どちらか一方を駆動すれば、仰臥位〜側臥位への体位変換がなされるが、平行四辺形機構３５Ｒ、３５Ｌを同時に駆動させれば、ベッドのハイロー（Ｈｉｇｈ／Ｌｏｗ）機構が実現される。
【００１８】
なお、各アクチュエータＭ１、Ｍ２、Ｍ３Ｒ、Ｍ３Ｌの動作はそれぞれ不図示の制御部中に含まれるモータドライバとＣＰＵによって制御されており、例えば手元コントローラによって、介護者により手動／自動設定、プログラム設定等の駆動設定が行える。また、赤外線式やコード付きの有線あるいは無線リモートコントローラを設けることにより、被介護者自身による設定も行うことができる。
【００１９】
１−２．寝返り支援ベッドの動作例（仰臥位〜左側臥位への変換）
以上の構成の寝返り支援ベッドは、ベッドフレーム１０上に詳細を後述する可動ベッド用マットを敷設して用いられる。そして通常の形態は、前記図１に示したように、連結床部１１ａ〜１１ｄ、側部材１２Ｒａ〜１２Ｒｄ、１２Ｌａ〜１２Ｌｄがほぼ水平面に設定され、ベッド面を形成するようになっている。
【００２０】
ユーザ（ここでは一例として介護者）がコントローラを介し、例えばメニューの中にある＜屈曲体勢で仰臥位→左側臥位変換＞に関する項目を選択して、これを実行させると、まず可動ステージ２０に取り付けられたアクチュエータＭ３Ｌが作動し、軸が延伸する。そして、当該軸の先端に連結されたＬ字部材２３５Ｌとバー２３Ｌが回転バー２２Ｌを中心にして回転し、側部材支持フレーム２４Ｌがベッド平面から起き上がり、ベッド平面に対して垂直方向へと起きる（アクチュエータの作動図；図２（ａ）→（ｂ）→（ｃ）、垂直に起きた側部材１２Ｒａ〜１２Ｒｄの状態図；図５、およびこのときのベッド側面図；図８（ｃ））。
【００２１】
続いて、可動ステージ２０のセンターフレーム２１Ａに取り付けられた直動アクチュエータＭ１、Ｍ２の軸先端が延伸し、Ｌ字型連結部材２１１、２１２を介してベッドフレーム１０の上体板１１ａおよび腿板１１ｃが背面側より押し上げられ、上体起こし・膝上げの屈曲体勢が形成される（屈曲体勢にあるベッド斜視図；図６、このときのベッド断面図；図８（ａ）→（ｂ））。これとともに、側部材１２Ｌａ〜１２Ｌｄも連結床部１１ａ〜１１ｄに合わせて変形する。このとき、側部材１２Ｌｃに設けられたポケットから扇形板１３Ｌが露出し、被介護者の膝部分に位置するマット部分および布団部分をカバーする（このときのベッド側面図；図８（ｃ）→（ｄ））。
【００２２】
そして、以上の動作により側部材起こし・屈曲体勢が整うと、固定ステージ３０のサイドフレーム３２Ｒ側におけるアクチュエータＭ４Ｒが作動し、軸が延伸する。これにより、ステージバー受け３６Ｒと水平リンク３５３Ｒとの斜交い距離が離間し、支持腕３５４Ｒ、３５６Ｒがサイドフレーム３２Ｒのスライド溝上をスライドして持ち上がり、平行四辺形機構３５Ｒが動作する。このとき、支持腕３５４Ｒ、３５６Ｒ、３５４Ｌ、３５６Ｌは回転腕３５１Ｒ、３５２Ｒ、３５１Ｌ、３５２Ｌの前記円運動によって、可動ステージの片側部を垂直方向へ持ち上げる。これとともに、可動ステージ２０の右サイドが固定ステージ３０より高い位置に上げられ、可動ステージ２０のローラ２００、……がローラスライドフレーム３００上を転がり、ベッドフレーム１０は固定ステージ３０のサイドフレーム３２Ｌ、すなわちベッド左方向へ傾斜する（ベッド傾斜時のベッド状態図；図７）。このときの好ましい傾斜角としては、例えば水平面に対して約３０度から７０度の範囲、一例として約５０度に設定することができる。
【００２３】
このようなベッドフレーム１０の変形によれば、被介護者は、仰臥位から側臥位への体位変換において、予め仰臥位で上体起こし／膝上げの屈曲体勢を取ったまま、連結床部１１ａ〜１１ｄと側部材１２Ｒａ〜１２Ｒｄにサポートされながら、介護者が手をあてがい、その手に沿って回転するような滑らかさで良好に体位変換される。
したがって当該寝返り支援ベッド２では、被介護者は最も負担の軽い屈曲姿勢で体位変換することが可能なので、気楽に体位変換に臨むことができ、従来のような体位変換に伴う肉体的苦痛や精神的不安の改善が期待できる。
【００２４】
また、当該寝返り支援ベッド２では、介護者にとっても被介護者の体位変換にそれほど重労働となる手作業が要求されないので、あまり経験のない介護者も適切に被介護者の体位変換を行うことができる。したがって本実施の形態１の寝返り支援ベッド２を用いれば、介護者はその分、細やかに行き届いた介護に専念することが可能である。
【００２５】
１−３．本発明の可動ベッド用マット（固定具付きマット）について
次に、本発明の可動ベッド用マットについて詳細に説明する。図９は、前記寝返り支援ベッド２とこれに用いられる可動ベッド用マットの構成例である。当該可動ベッド用マット１は当図（ａ）に示すように、被介護者の腰部に対応する可動ベッドの床部１１ｂに対して、固定具１００を備え付けている。
【００２６】
この固定具１００は図１０（ａ）に示すように、プレート１０１上に合計４個のＴ字型断面構造を持つ凸部１０２が配設された構成を有する。凸部１０２は硬質ゴム材料から作製されており、寝返り支援ベッド２の床部１１ｂの表面に張られたメッシュの間隙に嵌合し、マット側とベッド側とを固定する。
このような固定具１００を有するマット１によれば、ベッド駆動時においては図１０に示すように、ギャッチアップ体勢（図１０（ｂ）→（ｃ））が形成されるとき、マット１は固定具１００付近を中心に良好に固定されたまま、上下端部がスムーズに伸びる。これによって、可動ベッドの動作によりマット１の位置ずれの発生（スラスト方向の位置ずれの発生）を効果的に防止しつつ、マットの伸びを活かして滑らかなマット面を形成することが可能となる。なお凸部１０２はメッシュ面から脱着可能になっており、マット１の取り替えや可動ベッド２側のメンテナンスが容易になっている。
【００２７】
ここで、マットの伸びが比較的少ない場合には、上記床部１１ｂに対向する面以外の位置に固定具１００を設けてもよい。また固定具１００を備え付ける位置は、上記の位置に限定されるものではなく、また複数設けてもよい。
また、固定具は上記の構成に限定するものではなく、床部の素材や構成に合わせて別の構成（例えば平らな床面を有する床部に対してマジックテープ（登録商標）を利用する等）としてもよい。
【００２８】
１−４．その他の事項
上記実施の形態１では、平行四辺形機構を利用したベッド構成としたが、本発明の可動ベッド用マットは平行四辺形機構を利用するベッド構成に適用を限定するものではなく、以下のような別構成の可動ベッドに適用してもよい。
図１１（ａ）に示す寝返り支援ベッドは、直動アクチュエータを垂直に配し、垂直方向への昇降機構を利用して左右いずれかの側部材を昇降し、これにより可動ステージ上の床部を傾斜させるものである。当該寝返り支援ベッドは、直方形枠状の固定ステージの中に、一対の柱型直動アクチュエータを配し、この上に、可動フレームに支持されたベッドフレームを配設している。床部は実施の形態１と同様に連結床部で構成され、非介護者の上体、腰、腿、膝下のそれぞれに相当する複数の関節で連結されており、このうち腰板に相当する部分が床部枠状の可動フレームと固定されている。床部の背面には、屈曲体勢のためのアクチュエータ機構を備えた駆動部が備えられている。
【００２９】
柱型直動アクチュエータの上には、側部材が配される。当該側部材には、その内部に収納溝が形成されており、ここにベッド長手方向に分割され、互いに連結された引き出し式側部材を収納している。側部材は、当該引き出し式側部材を介し、床部を支える可動ステージと連結されている。引き出し式側部材は、引っ張りバネ等によって収納溝方向に向かって付勢されており、引き出す力が弱まれば自動的に収納溝へ収納される。
【００３０】
このような構成の介護支援ベッドによれば、駆動時には図１１（ｂ）に示すように、まず連結床部で屈曲体勢を形成する。そののち、一方の柱型直動アクチュエータが作動し、その上の側部材を降下する。これに伴い、可動ステージの片サイドが傾斜し、連結床部も傾斜する。そして傾斜した可動ステージのサイド下方では、連結床部に対して引き出し式側部材が収納溝から引き出され、連結床部に対して引き出し式側壁が相対的に起き上がった状態、つまり連結床部に引き出し式側部材が吊られ、当該両者の角度が狭まった状態となる。また、同時に側部材が床部の床面に対して起き上がった状態となる。これにより被介護者は屈曲体勢のまま、身体側部を引き出し式側部材にサポートされる効果が奏され、実施の形態１と同様に良好に体位変換されることとなる。
【００３１】
一方、図１２は別の寝返り支援ベッドの構成を示す図である。
当該寝返り支援ベッドは、一般的なベッドが利用可能なものであり、ベッド面上に、複数の気嚢が配置されてなるエアーマットを敷設することで構成される。そしてエアーポンプを利用し、エアホースを介して、各気嚢ごとに独立して空気を供給／排出できるようにしたことを特徴とする。エアホースにはバルブが付いており、エアーポンプとともに図示しない制御部によって開閉が制御され、ぞれぞれの気嚢の膨張・収縮がコントロールされる。気嚢は、ここでは一例として、被介護者の身体の関節に合わせ、上体・腰（気嚢二段重ね）、腿・膝下、およびベッド両側部に分割されている。
【００３２】
このような構成の寝返り支援ベッドでは、通常はエアーマットの上に布団を敷いて用いられる。そして、介護者の仰臥位から側臥位への体位変換に際し、まずベッド両側部の上方一段目の気嚢を膨張させる（図１２（ａ）→（ｂ））。そして、次に介護者の上体・腰に当たる気嚢を長手方向に傾斜させ、膝を頂点にして腿・膝下に当たる気嚢を膨張させることにより、屈曲体勢が形成される（図１２（ｃ）および（ｄ））。そして、左右どちらかの側壁に当たる気嚢を収縮させ、上体・腰に当たる下方二段目の気嚢を膨張させると、屈曲体勢のまま、左側臥位／右側臥位への体位変換を行うことができる（図１２（ｅ）および（ｆ））。
【００３３】
なお、ここでは一般的なベッドを利用した例を示したが、当該構成例のベッドは可搬性に優れており、様々な種類のベッドへの応用の他、畳や絨毯の上など、床に直に敷設することができるメリットもある。
【００３４】
【発明の効果】
以上のことから明らかなように、本発明は、ベッド面が変形可能な可動ベッドの床部に敷設される可動ベッド用マットであって、前記床部に対向するマット表面に、床部と係合する固定具が備えられているので、駆動時にベッド面が変形しても、これに追従してマットが柔軟に変形する。これによりベッド面とマットが位置ずれするのが効果的に防止され、良好な可動ベッドの駆動が実現できる。
【図面の簡単な説明】
【図１】実施の形態１の寝返り支援ベッドの斜視図である。
【図２】可動フレームおよび可動ステージ付近の部分断面図である。
【図３】模式的なベッド上面図である。
【図４】固定ステージの構成を示す斜視図である。
【図５】寝返り支援ベッドの斜視図（右側部材が起きた状態）である。
【図６】寝返り支援ベッドの斜視図（屈曲体勢）である。
【図７】寝返り支援ベッドの斜視図（右方向への傾斜状態）である。
【図８】可動ベッドおよびベッドフレームの長手方向模式図である。
【図９】メッシュ面を有するベッドと固定具を備えたマットの構成図である。
【図１０】マット固定具の構成と、ベッド駆動時のマットの動きを示す図である。
【図１１】寝返り支援ベッド（バリエーション）の斜視図である。
【図１２】寝返り支援ベッド（バリエーション）の斜視図である。
【符号の説明】
１　　　　マット
２　　　　寝返り支援ベッド
１０　　ベッドフレーム
１１ａ〜１１ｄ　　　　連結床部（１１ａ上体板、１１ｂ腰板、１１ｃ腿板、１１ｄ膝下板）
１２Ｒａ〜１２Ｒｄ、１２Ｌａ〜１２Ｌｄ　　側部材
１３Ｒ、１３Ｌ　　　　扇形板
２０　　可動ステージ
２１Ａ　　　　センターフレーム
２１Ｒ、２１Ｌ　　　　サイドフレーム
２２Ｒ、２２Ｌ　　　　回転バー
２４Ｒ、２４Ｌ　　　　側部材支持フレーム
３０　　固定ステージ
３１　　固定ステージフレーム
３６Ｒ、３６Ｌ　　　　ステージバー受け
３２Ｒ、３２Ｌ　　　　サイドフレーム
１００　　　　固定具
１０１　　　　プレート
１０２　　　　凸部
２００、２０１、２０２、２０３　　　　ローラ
２３５Ｒ、２３５Ｌ　　Ｌ字部材
３５４Ｒ、３５６Ｒ、３５４Ｌ、３５６Ｌ　　支持腕
３６５、３６６　　　　ラック
６００　　　　制御部
６０１　　　　ＣＰＵ
Ｍ１、Ｍ２、Ｍ３Ｒ、Ｍ３Ｌ　　　　直動アクチュエータ
【図１】
2004073673.tif 000003
【図２】
2004073673.tif 000004
【図３】
2004073673.tif 000005
【図４】
2004073673.tif 000006
【図５】
2004073673.tif 000007
【図６】
2004073673.tif 000008
【図７】
2004073673.tif 000009
【図８】
2004073673.tif 000010
【図９】
2004073673.tif 000011
【図１０】
2004073673.tif 000012
【図１１】
2004073673.tif 000013
【図１２】
2004073673.tif 000014